(57)【要約】【課題】ポンプを上限水位に近い位置に固定配置することでクーラント液の旋回流の邪魔をしないようにし、クーラント液の水位変動の許容範囲を広くでき、かつ、タンク底部への異物の堆積を防ぐことができるクーラントポンプ装置を提供する。【解決手段】クーラント液Ａを収納するタンク１１の内部に、タンク１１上に位置するモータ１２で駆動されるボルテックスポンプ１３を配置し、このボルテックスポンプ１３のケーシング１４の下部に形成した吸引口１５に、下端の吸い込み口１６がタンク１１の低部に接近して臨む長さの吸い込み管１７を接続した。【選択図】図１
0003125327.tif 000002
【実用新案登録請求の範囲】
【請求項１】
クーラント液を収納するタンクの内部に、容器上に位置するモータで駆動されるポンプを配置し、このポンプでタンク内のクーラント液を外部に取出すようにしたクーラントポンプ装置において、
前記ポンプにボルテックスポンプを用い、このボルテックスポンプのケーシングの下部に形成した吸引口に、下端の吸い込み口がタンクの低部に接近して臨む長さの吸い込み管を接続したことを特徴とするクーラントポンプ装置。
【請求項２】
上記ボルテックスポンプが、タンク上に固定したモータの下部にスペーサを介して取付けられ、このボルテックスポンプの吐出口に、クーラント液をタンクの外部に導く取出し管を接続し、前記モータとボルテックスポンプ及び吸い込み管をタンクの上下方向の中心線上に配置したことを特徴とする請求項１に記載のクーラントポンプ装置。
【請求項３】
上記クーラント液を収納するタンクは、クーラント液の戻りを利用してクーラント液に旋回流を生じさせる構造になっており、上記スペーサは、ボルテックスポンプがクーラント液の上限水位に近い位置でクーラント液に浸漬する長さに設定され、前記ボルテックスポンプの吸引口に接続した吸い込み管がクーラント液の旋回流中心部に位置し、その下端の吸い込み口がタンクの低部に接近して臨む長さに設定されていることを特徴とする請求項１又は２に記載のクーラントポンプ装置。
【考案の詳細な説明】
【技術分野】
【０００１】
この考案は、工作機械の加工部分を冷却するためのクーラント液を、このクーラント液に含まれる異物を除去する処理装置に供給するクーラントポンプ装置に関する。
【背景技術】
【０００２】
従来の上記クーラントポンプ装置は、図２に示すように、クーラント液を収納するタンク１の内部に、タンク１上に位置するモータ２で駆動されるポンプ３を配置し、このポンプ３がタンク１上に固定したモータ２の下部にスペーサ４を介して取付けられ、前記ポンプ３の吐出口に、クーラント液Ａをタンク１の外部の処理装置に導く取出し管５を接続した構造になっている。
【０００３】
工作機械で使用されたクーラント液Ａは、金属粉や砥石粉等の異物を含有しているため、図２に矢印で示すように、戻り管６で上記タンク１に戻るクーラント液Ａは、斜めに角度を持たせてタンク１の内周外部に向けて戻すことでクーラント液Ａに旋回流を生じさせ、攪拌力で金属粉や砥石粉等の異物の堆積を防止し、できるだけ多くの異物をポンプ３で処理装置に供給しようとしている。
【０００４】
上記モータ２でポンプ３を駆動すると、羽根車３ａの回転でケーシング３ｂの下部に設けた吸引口３ｃからクーラント液Ａが吸い込まれ、吐出口３ｄから取出し管５を介して処理装置に供給されることになる。
【０００５】
ところで、クーラントポンプ装置は、ポンプ３を常時クーラント液Ａに浸漬させておかなければならないが、工作機の冷却条件によってタンク１内におけるクーラント液Ａの運転水位が変動するため、スペーサ４の長さ寸法Ｌを変えることで、運転水位の変動に対応しなければならない。
【考案の開示】
【考案が解決しようとする課題】
【０００６】
しかし、長さ寸法Ｌの異なるスペーサ４を使い分けることは、スペーサ４の種類が多くなり、製造コストが高くつくだけでなく、管理が煩雑になる。
【０００７】
また、クーラントポンプ装置は、ポンプ３の配置によって下限水位ｂの位置が規定されることになるが、ポンプ３をクーラント液Ａに浸漬させてタンク１内の深い位置に配置すると、ポンプ３は羽根車３ａの軸心に対して吐出口３ｄが一方に片寄った状態で突出する形状になっているため、このポンプ３の平面形状がクーラント液Ａの旋回流の邪魔をすることになり、このため、ポンプ３を深い位置に配置することができず、ポンプ３によって規定される下限水位の位置が高くなり、上限水位ａと下限水位ｂの範囲、即ち、クーラント液Ａの水位変動の許容範囲が狭くなり、使い勝手が悪いという問題がある。
【０００８】
更に、ポンプ３がクーラント液Ａの旋回流の邪魔をすることにより、タンク１内でのクーラント液Ａの旋回流が不十分となり、タンク１の底部に異物が堆積することになる。
【０００９】
そこで、この考案の課題は、上記のような問題点を解決するため、ポンプを上限水位に近い位置に固定配置することでクーラント液の旋回流の邪魔をしないようにし、ポンプに接続した吸い込み管によって下限水位の位置を下げることができ、スペーサによるポンプの位置変更を不要にし、クーラント液の水位変動の許容範囲を広くでき、更に、タンク底部への異物の堆積を防ぐことができるクーラントポンプ装置を提供することにある。
【課題を解決するための手段】
【００１０】
上記のような課題を解決するため、この考案は、クーラント液を収納するタンクの内部に、タンク上に位置するモータで駆動されるポンプを配置し、このポンプでタンク内のクーラント液を外部に取出すようにしたクーラントポンプ装置において、前記ポンプにボルテックスポンプを用い、このボルテックスポンプのケーシングの下部に形成した吸引口に、下端の吸い込み口がタンクの低部に接近して臨む長さの吸い込み管を接続した構成を採用したものである。
【００１１】
また、上記ボルテックスポンプが、タンク上に固定したモータの下部にスペーサを介して取付けられ、このボルテックスポンプの吐出口に、クーラント液をタンクの外部に導く取出し管を接続し、前記モータとボルテックスポンプ及び吸い込み管をタンクの上下方向の中心線上に配置した構成を採用したものである。
【００１２】
上記クーラント液を収納するタンクは、クーラント液の戻りを利用してクーラント液に旋回流を生じさせる構造になっており、上記スペーサは、ボルテックスポンプがクーラント液の上限水位に近い位置でクーラント液に浸漬する長さに設定され、前記ボルテックスポンプの吸引口に接続した吸い込み管がクーラント液の旋回流中心部に位置し、その下端の吸い込み口がタンクの低部に接近して臨む長さに設定されている構造とすることができる。
【００１３】
ここで、タンクは、円筒状周壁と、この周壁の下部から連なって中心へ弧状に凹入する底壁と、円筒状周壁の上端を閉鎖する上壁によって形成され、戻りクーラント液を上壁の部分から斜め下向きに角度を持たせてタンクの内周外部に向けて戻すことで、タンク底壁を球面にしていることと合わせての効果によって、クーラント液に旋回流が生じるようになっている。
【００１４】
上記吸い込み管は、上下に長い円筒状になり、タンクの上下中心線上に位置するので、クーラント液の旋回流の中心に位置し、この吸い込み管の採用で、ボルテックスポンプをクーラント液の上限水位に近い位置に配置することができ、これによってクーラント液の旋回流に邪魔をしないと共に、クーラント液の下限水位を低い位置に設定することができる。
【考案の効果】
【００１５】
この考案によると、ポンプにボルテックスポンプを用いることにより、クーラント液に金属粉や砥石粉等の異物が含有されたり、固形化されていても、クーラント液の圧送が支障なく行えると共に、このボルテックスポンプのケーシングの下部に形成した吸引口に、下端の吸い込み口がタンクの低部に接近して臨む長さの吸い込み管を接続したので、ボルテックスポンプを上限水位に近い位置に固定配置し、吸い込み管をクーラント液の旋回中心に位置させることで、クーラント液の旋回流の邪魔をしないようにすることができ、タンク底部への異物の堆積を防ぐことで、多量に異物を含んだクーラント液を吸引して吐出することができる。
【００１６】
また、ボルテックスポンプに接続した吸い込み管によって下限水位の位置を下げることができ、従来用いていた長さの異なるスペーサによるポンプの位置変更を不要にし、クーラント液の水位変動の許容範囲を広くすることができる。
【考案を実施するための最良の形態】
【００１７】
以下、この考案の実施の形態を添付図面に基づいて説明する。
【００１８】
図１のように、クーラントポンプ装置は、クーラント液Ａを収納するタンク１１の内部に、タンク１１上に位置するモータ１２で駆動されるボルテックスポンプ１３を配置し、このボルテックスポンプ１３のケーシング１４の下部に形成した吸引口１５に、下端の吸い込み口１６がタンク１１の低部に接近して臨む長さの吸い込み管１７を接続し、ボルテックスポンプ１３のケーシング１４の吐出口１８に接続した取出し管１９をタンク１１の外部に導出させた構造になっている。
【００１９】
上記タンク１１は、円筒状の周壁１１ａと、この周壁１１ａの下部から連なって中心へ弧状に凹入する底壁１１ｂと、円筒状周壁１１ａの上端を閉鎖する上壁１１ｃによって形成され、図１に矢印で示すように、戻り管２０で上記タンク１１に戻る戻りクーラント液Ａを上壁１１ｃの部分から斜め下向きに角度を持たせ、タンク１１の内周外部に向けて戻すことで、底壁１１ｂを球面にしていることと合わせての効果でクーラント液Ａに旋回流が生じるようになっている。
【００２０】
上記ボルテックスポンプ（渦巻き型ポンプ）１３は、タンク１１の上壁１１ｃに固定したモータ１２の下部に短い長さの筒状スペーサ２１を介して取付けられ、モータ１２の回転軸２２と羽根車２３が結合されることで羽根車２３が回転駆動され、このボルテックスポンプ１３をクーランド液Ａの上限水位ａに近い浅い位置に配置し、前記ボルテックスポンプ１３の吐出口１８に、クーラント液Ａをタンク１１の外部に導く取出し管１９を接続し、前記モータ１２とボルテックスポンプ１３及び吸い込み管１７がタンク１１の上下方向の中心線上に同軸線状となるよう配置されている。
【００２１】
上記吸い込み管１７は、吸引口１５と略同径で上下に長い円筒状に形成され、その下端で開口する吸い込み口１６はラッパ状に拡径し、この下端の吸い込み口１６がタンク１１の底壁１１ｂに接近して臨む長さに設定され、このように、ボルテックスポンプ１３をクーランド液Ａの上限水位ａに近い浅い位置に配置し、かつ、吸い込み管１７をクーラント液Ａの旋回中心に位置させることで、クーラント液Ａの旋回流の邪魔をしないようになっている。
【００２２】
また、吸い込み管１７を、下端の吸い込み口１６がタンク１１の底壁１１ｂに接近して臨む長さに設定することにより、クーラント液Ａの下限水位ｂを下方に設定することができ、これによって、上限水位ａと下限水位ｂの上下の幅が大きくなり、クーラント液Ａの水位変動の許容範囲を広くすることができる。
【００２３】
この考案のクーラントポンプ装置は、上記のような構成であり、タンク１１内のクーラント液Ａは、図１に矢印で示すように、戻りクーラント液が上壁１１ｃの部分から斜め下向きに角度を持たせた状態で戻ることと、底壁１１ｂを球面にしていることと合わせての効果によって旋回流が生じており、この状態でモータ１２を起動してクーラント液Ａに浸漬するボルテックスポンプ１３の羽根車２３を回転させると、ボルテックスポンプ１３の羽根車２３と渦巻き室２４の作用でクーラント液Ａを吸引して送り出すことになり、タンク１１内のクーラント液Ａは、旋回中心部の下部位置において吸い込み管１７の吸い込み口１６から吸い込まれ、この吸い込み管１７からボルテックスポンプ１３の吸引口１５及び渦巻き室２４を通って吐出口１８に送り出され、吐出口１８に接続した取出し管１９で、例えば、マグネットセパレータや濾過機等を用いた処理装置に向けて送られることになる。
【００２４】
このとき、吸い込み管１７はクーラント液Ａの旋回中心に位置し、ボルテックスポンプ１３が上限水位ａに近い位置にあるので、タンク１１内におけるクーラント液Ａの旋回流の邪魔をしないようにすることができ、クーラント液Ａの旋回流による攪拌力で金属粉や砥石粉等の異物の堆積を防止させることで、ボルテックスポンプ１３が多くの異物を含むクーラント液Ａを吸引することができる。
【００２５】
また、ボルテックスポンプ１３のケーシング１４の下部に形成した吸引口１５に吸い込み管１７を接続することにより、運転水位の変動はこの吸い込み管１７の長さを選ぶことによって対応でき、これによって、ボルテックスポンプ１３を上限水位ａに近い位置に固定配置することができ、スペーサ２１は短い長さの単一構造のものでよくなり、従来用いていた長さの異なる複数種類のスペーサが不要になり、しかも、ボルテックスポンプ１３に接続した吸い込み管１７によって下限水位ｂの位置を下げることができ、クーラント液Ａの水位変動の許容範囲を広くすることができる。
【図面の簡単な説明】
【００２６】
【図１】この考案に係るクーラントポンプ装置の縦断正面図
【図２】従来のクーラントポンプ装置の縦断正面図
【符号の説明】
【００２７】
１１        タンク
１２        モータ
１３        ボルテックスポンプ
１４        ケーシング
１５        吸引口
１６        吸い込み口
１７        吸い込み管
１８        吐出口
１９        取出し管
２０        戻り管
２１        筒状スペーサ
２２        回転軸
２３        羽根車
２４        渦巻き室
【図１】
0003125327.tif 000003
【図２】
0003125327.tif 000004